(57)【特許請求の範囲】
【請求項１】
撮像した被写体像に関する画像データを出力する撮像装置と、  前記画像データを圧縮デジタルデータに変換してカメラ内に存在する記録媒体に記録する記録装置と、  当該カメラから外部モニタへ前記圧縮デジタルデータを出力する際の信号処理方式として、少なくともＮＴＳＣ方式とＰＡＬ方式とを含む複数の信号処理方式の中から１つの信号処理方式を選択するための操作信号を出力する信号処理方式選択操作部材と、  前記記録媒体に記録された前記圧縮デジタルデータを前記操作信号に対応する信号処理方式に応じた映像信号に変換し、当該映像信号を前記外部モニタへ出力する出力回路と、 設定されている撮影条件を表示する表示装置と、  撮影時は前記撮影条件を表示し、非撮影時に前記信号処理方式選択操作部材による信号処理方式の選択操作が行われると、前記撮影条件に代えて現在選択されている信号処理方式を識別可能に表示するように前記表示装置を制御する表示制御回路と、を備えたことを特徴とする電子スチルカメラ。
【請求項２】
請求項１に記載の電子スチルカメラにおいて、 前記表示制御回路は、前記撮影条件を示す第１表示と前記信号処理方式を示す第２表示とを共通の表示位置に異なる態様で表示するように前記表示装置を制御することを特徴とする電子スチルカメラ。
【請求項３】
請求項１または２に記載の電子スチルカメラにおいて、  前記表示制御回路は、前記信号処理方式の選択操作が行われている間に前記信号処理方式を表示するように前記表示装置を制御することを特徴とする電子スチルカメラ。
【請求項４】
請求項１〜３のいずれか一項に記載の電子スチルカメラにおいて、  前記撮影条件は、前記信号処理方式選択操作部材の操作により設定されることを特徴とする電子スチルカメラ。
【請求項５】
請求項１〜４のいずれか一項に記載の電子スチルカメラにおいて、  前記記録媒体は複数の圧縮デジタルデータを記録可能なメモリカードであることを特徴とする電子スチルカメラ。
【請求項６】
請求項１〜５のいずれか一項に記載の電子スチルカメラにおいて、  前記出力回路は、対応するコマ番号とともに前記映像信号を出力することを特徴とする電子スチルカメラ。
【発明の詳細な説明】
【技術分野】
【０００１】
本発明は、撮像した画像データをデジタル変換して記録媒体に記録し、記録したデータを外部の再生装置で再生可能な電子スチルカメラに関する。
【背景技術】
【０００２】
電子スチルカメラは、ＣＣＤ等の撮像素子によって被写体像を撮像し、撮影結果である画像データをデジタル変換した後、メモリカード等の記録媒体に記録する。記録されたデータはカメラに外部接続されたモニタによって再生されるが、従来の電子スチルカメラの大半は再生機能を備えておらず、再生する際にはカメラ本体に再生ユニットを取り付け、この再生ユニットを介してカメラ本体とモニタとを接続していた。また、再生ユニットを撮影と再生を切り換えるたびに着脱するのは煩わしいため、再生ユニットをカメラ本体に取り付けたまま撮影を行う撮影者が多かった。
【発明の開示】
【発明が解決しようとする課題】
【０００５】
メモリカードに記録したデータを外部のモニタに表示する場合、記録したデータを映像信号に変換する必要があり、映像信号の信号方式としてＮＴＳＣ方式とＰＡＬ方式が広く知られている。再生機能付きの電子スチルカメラでＮＴＳＣ方式とＰＡＬ方式の両方式の映像信号を切り換えて出力する場合、出力する映像信号方式を表示できるとよい。
【課題を解決するための手段】
【０００７】  本発明による電子スチルカメラは、撮像した被写体像に関する画像データを出力する撮像装置と、画像データを圧縮デジタルデータに変換してカメラ内に存在する記録媒体に記録する記録装置と、当該カメラから外部モニタへ圧縮デジタルデータを出力する際の信号処理方式として、少なくともＮＴＳＣ方式とＰＡＬ方式とを含む複数の信号処理方式の中から１つの信号処理方式を選択するための操作信号を出力する信号処理方式選択操作部材と、記録媒体に記録された圧縮デジタルデータを操作信号に対応する信号処理方式に応じた映像信号に変換し、当該映像信号を外部モニタへ出力する出力回路と、設定されている撮影条件を表示する表示装置と、撮影時は撮影条件を表示し、非撮影時に信号処理方式選択操作部材による信号処理方式の選択操作が行われると、撮影条件に代えて現在選択されている信号処理方式を識別可能に表示するように表示装置を制御する表示制御回路とを備えたことを特徴とする。
【発明の効果】
【０００８】  本発明による電子スチルカメラでは、選択される信号処理方式を撮影条件を表示する表示装置によって確認できる。
【発明を実施するための最良の形態】
【０００９】
以下、図１〜１１を用いて本発明による電子スチルカメラの一実施の形態を説明する。図１は本発明による電子スチルカメラの一実施の形態のブロック図である。図１において、撮影レンズ１を通過した被写体光束は絞り２に導かれる。３は絞り２を通過した被写体光束を透過および反射させるクイックリターンミラー（以下、単にミラーと呼ぶ）であり、ミラー３で反射された光束の一部は多分割ＳＰＤ４に、ミラー３を透過した光束はシャッタ５にそれぞれ導かれる。多分割ＳＰＤ４は複数の測光素子から成り、被写界を複数の領域に分けて測光する。各測光素子の出力は測光アンプ６によって増幅される。
【００１０】
７は絞り２の絞り量を変更制御する絞り駆動装置、８はシャッタ５の開閉を制御するシャッタ駆動回路である。９は、シャッタ５の開閉に応じて被写体光束を受光し、受光量に応じた信号電荷を蓄積するとともに、蓄積した信号電荷を画像データとして出力するＣＣＤである。１０はＣＣＤ９による電荷蓄積および電荷転送を制御するＣＣＤ駆動回路である。１１は、ＣＣＤ９から出力された画像データに対して、ホワイトバランス調整、γ補正および輪郭補正等の補正処理を施す信号処理回路である。１２は信号処理回路１１で補正処理した画像データを圧縮する圧縮回路であり、圧縮したデータはメモリカード１３に格納される。
【００１１】
１４は、絞り駆動装置７、シャッタ駆動回路８およびＣＣＤ駆動回路１０を制御する制御回路である。１５は撮影や再生に必要な各種情報を表示する表示装置であり、例えばカメラ上面に設けられる。１６はカメラ各部に電源電圧を供給するか否かを切り換える電源スイッチ、１７は不図示のレリーズボタンが半押しされるとオンする半押しスイッチ、１８はレリーズボタンが全押しされるとオンする全押しスイッチである。１９は、撮影を行う撮影モードと再生を行う再生モードのいずれかを選択する撮影／再生選択スイッチである。２０は不図示のコマンドダイアルが所定量回転操作されるたびにパルス信号を出力するパルス発生器である。２１はＣＣＤ９の感度を切り換える感度切換スイッチ、２２は測光モードを切り換える測光モード切換スイッチ、２３は露出補正量を切り換える露出補正切換スイッチ、２４はメモリカードに格納されている撮影画像データを映像信号に変換する映像信号変換回路である。映像信号変換回路２４は、後述するように、ＮＴＳＣ方式またはＰＡＬ方式のいずれかの信号方式の映像信号に切り換えて出力する。２５は、各種撮影モード（プログラムモード、絞り優先モード、シャッタ優先モード等）を切換える撮影モード切換スイッチである。
【００１２】
図２〜４は表示装置１５に表示される表示内容を示す図であり、図２（ａ）はすべての表示領域の表示素子を点灯させた図、図２（ｂ）は撮影モード選択時の表示内容を示す図である。図２（ａ）に示すように、表示領域Ａには圧縮モードが、表示領域Ｂには撮影時の感度すなわちＣＣＤ９の感度が、表示領域Ｃにはホワイトバランスの設定モードが、表示領域Ｄには露出モードが、表示領域Ｅには露出補正の有無がそれぞれ表示される。また、表示領域Ｆには測光モードが、表示領域Ｇにはバッテリ容量が、表示領域Ｈには絞り値が、表示領域Ｉにはシャッタ速度が、表示領域Ｊにはメモリカード１３に記録可能な残り枚数が、表示領域Ｋには次回撮影時の駒番号がそれぞれ表示される。
【００１３】
図２（ｃ）は再生モードが選択されたときの表示装置１５の表示内容を示す図である。図示のように、表示領域Ｈには再生モードであることを示す「Ｐｂ」の文字が、表示領域Ｉには現在再生中の駒番号が、表示領域Ｋにはメモリカード１３に記録されている総駒数がそれぞれ表示される。一方、表示領域Ｃの表示内容は再生待機中と再生中で異なる。
【００１４】
図３は再生待機中における表示領域Ｃの表示変化を示し、図４は再生中における表示領域Ｃの表示変化を示す。図３に示すように、再生待機中には図３（ａ）と図３（ｂ）の表示が早い速度で切り換わる。一方、再生中には図４（ａ）→図４（ｂ）→図４（ｃ）→図４（ｄ）→図４（ｅ）→図４（ｆ）→図４（ａ）… …のように順繰りに表示領域Ｃの表示が切り換わる。このように、再生中と再生待機中で表示領域Ｃの表示形態を切り換えることにより、現在再生を行っているのか、あるいは再生を行うべく待機しているのかを識別できるようにしている。したがって、カメラからモニタに向けて映像信号を出力中か否かを表示装置１５の表示だけで確認することができる。
【００１５】
図５〜８は制御回路１４の処理を示すフローチャートであり、以下、このフローチャートに基づいて一実施の形態の動作を説明する。なお、制御回路１４はレリーズボタンが半押しされたときに図５〜８の処理を開始する。図５のステップＳ１では、カメラ各部に電源電圧を供給する。これにより、カメラ上面の表示装置１５と不図示のファインダ表示部に初期画面が表示される。ステップＳ２では、再生モードと撮影モードのいずれが撮影／再生選択スイッチ１９によって選択されているのかを判定する。
【００１６】
撮影モードが選択されるとステップＳ３に進み、撮影動作に必要な種々の設定、例えば測光モード、感度、絞り値およびシャッタ速度等を設定する。ステップＳ４では、絞り値やシャッタ速度等を示す数値をファインダ表示部およびカメラ上面の表示装置１５に表示する。ステップＳ５では、オートフォーカスを行うモードが選択されているか否かを判定する。判定が肯定されるとステップＳ６に進み、ＡＦモータを駆動して焦点調節情報の検出処理を行う。ステップＳ６の処理が終了した場合とステップＳ５の判定が否定された場合はともにステップＳ７に進み、レリーズボタンが全押しされたか、すなわち全押しスイッチ１８がオンか否かを判定し、判定が肯定されるとステップＳ８に進み、露出制御やシャッタ制御等の撮影制御を行ってステップＳ２に戻る。
【００１７】
ステップＳ７の判定が否定されるとステップＳ９に進み、撮影モードを設定する何らかの操作部材が操作されて撮影モードが変更されたか否かを判定し、何らかの操作があって撮影モードが変更された場合にはステップＳ３に戻り、撮影動作の設定を行う。撮影モードが変更されなかった場合にはステップＳ１０に進み、レリーズボタンを半押ししてから１６秒が経過したか否かを判定する。１６秒が経過していない場合にはステップＳ７に戻り、１６秒が経過している場合にはステップＳ１１に進み、カメラ各部への電源電圧の供給を停止して消費電力の低減を図る。
【００１８】
一方、ステップＳ２において再生モードが選択されている場合には図６のステップＳ１２に進み、ＡＦモータの駆動を禁止して消費電力の低減を図る。ステップＳ１３では、ファインダ表示部を消灯する。これにより、撮影者に撮影ができないことを知らせ、また消費電力の低減を図る。なお、ファインダ表示部を消灯する代わりに、再生モードが選択されている旨を表示してもよいが、カメラ上面の表示装置１５に再生中あるいは再生待機中である旨を表示するため、２重に表示する必要性も特にないことから、消費電力の低減を図る意味からも本実施の形態ではファインダ表示部を消灯する。ステップＳ１４では、レリーズボタンの全押し操作を禁止する。これにより、再生モード中に誤ってメモリカード１３に撮影データが記録されないようにする。
【００１９】
ステップＳ１４の処理が終了するとステップＳ１５に進み、再生待機表示を行う。すなわち、前述したように、表示領域Ｃの表示を図３（ａ）→図３（ｂ）→図３（ａ）… …のように早い速度で切り換える。
【００２０】
ステップＳ１６では、コマンドダイアルが操作されたか否かを判定する。ここでは、パルス発生器２０からパルス信号が出力されればコマンドダイアルが操作されたと判断する。ステップＳ１６の判定が否定されるとステップＳ１７に進み、再生待機表示を開始してから１６秒が経過したか否かを判定する。判定が否定されるとステップＳ１５に戻り、判定が肯定されるとステップＳ１８に進み、カメラの電源をオフして処理を終了する。
【００２１】
ステップＳ１６の判定が肯定されるとステップＳ１９に進み、コマンドダイアルが操作されたときに同時に感度切換スイッチ２１が操作されたか否かを判定する。判定が否定されるとステップＳ２０に進み、コマンドダイアルが操作されたときに同時に露出補正切換スイッチ２３と測光モード切換スイッチ２２が操作されたか否かを判定する。判定が否定されるとステップＳ２１に進み、メモリカード１３に記録されている先頭駒を再生し、かつ表示装置１５の表示を変更する。具体的には、図２（ｃ）に示すように、表示領域Ｈには再生中であることを示す「Ｐｂ」を表示し、表示領域Ｉには１駒目を表示していることを示す「１」を表示し、表示領域Ｋにはメモリカード１３に記録されている総記録枚数「１２」を表示する。また、表示領域Ｃの表示を、図４（ａ）→図４（ｂ）→図４（ｃ）→図４（ｄ）→図４（ｅ）→図４（ｆ）→図４（ａ）… …のように順繰りに切り換えることで再生中であることを知らせる。
【００２２】
一方、ステップＳ２０の判定が肯定されるとステップＳ２２に進み、現在の再生方式がＮＴＳＣ方式かＰＡＬ方式かを判定する。現在の再生方式がＰＡＬ方式であればステップＳ２３に進んでＮＴＳＣ方式に変更し、現在の再生方式がＮＴＳＣ方式であればステップＳ２４に進んでＰＡＬ方式に変更する。ステップＳ２３またはＳ２４の処理が終了すると、ステップＳ２１に戻る。
【００２３】
一方、ステップＳ１９の判定が肯定されるとステップＳ２５に進み、コマンドダイアルの操作量に応じた再生駒番号を表示装置１５に表示し、かつこの駒の再生を行う。ステップＳ２１またはＳ２５の処理が終了すると図７のステップＳ２６に進み、コマンドダイアルが操作されたか否かを判定する。判定が肯定されるとステップＳ２７に進み、コマンドダイアルが操作されたときに同時に感度切換スイッチ２１が操作されたか否かを判定する。判定が肯定されるとステップＳ２８に進み、コマンドダイアルの操作量に応じた再生駒番号を表示し、かつこの駒の再生を行う。ステップＳ２７の判定が否定されるとステップＳ２９に進み、コマンドダイアルが操作されたときに同時に露出補正切換スイッチ２３と測光モード切換スイッチ２２が操作されたか否かを判定する。判定が否定されるとステップＳ３０に進み、次駒を再生し、かつ次駒の駒番号を表示装置１５に表示する。ステップＳ２８またはＳ３０の処理が終了するとステップＳ２６に戻る。
【００２４】
一方、ステップＳ２９の判定が肯定されるとステップＳ３１に進み、現在の再生方式がＮＴＳＣ方式かＰＡＬ方式かを判定する。現在の再生方式がＰＡＬ方式であればステップＳ３２に進んでＮＴＳＣ方式に変更し、現在の再生方式がＮＴＳＣ方式であればステップＳ３３に進んでＰＡＬ方式に変更する。ステップＳ３２またはＳ３３の処理が終了すると、ステップＳ３０に戻る。
【００２５】
一方、ステップＳ２６の判定が否定されるとステップＳ３４に進み、現在の駒の再生を開始してから３分が経過したか否かを判定する。判定が否定されるとステップＳ２６に戻り、判定が肯定されると図８のステップＳ３５に進む。ステップＳ３５では、再生待機表示を行う。ステップＳ３６では、再生待機表示を開始してから１６秒が経過したか否かを判定する。判定が肯定されるとステップＳ３７に進み、電源をオフして処理を終了する。ステップＳ３６の判定が否定されるとステップＳ３８に進み、コマンドダイアルが操作されたか否かを判定する。判定が否定されるとステップＳ３５に戻り、判定が肯定されるとステップＳ３９に進む。
【００２６】
ステップＳ３９では、図７のステップＳ２７と同様に、コマンドダイアルが操作されたときに同時に感度切換スイッチ２１が操作されたか否かを判定する。判定が肯定されるとステップＳ４０に進み、コマンドダイアルの操作量に応じた再生駒番号を表示し、かつこの駒の再生を行う。ステップＳ３９の判定が否定されるとステップＳ４１に進み、コマンドダイアルが操作されたときに同時に露出補正切換スイッチ２３と測光モード切換スイッチ２２が操作されたか否かを判定する。判定が否定されるとステップＳ４２に進み、再生待機前に表示していた駒を再生する。
【００２７】
一方、ステップＳ４１の判定が肯定されるとステップＳ４３に進み、現在選択されている映像信号の信号方式がＮＴＳＣ方式かＰＡＬ方式かを判定する。現在の信号方式がＰＡＬ方式であればステップＳ４４に進んでＮＴＳＣ方式に変更し、現在の信号方式がＮＴＳＣ方式であればステップＳ４５に進んでＰＡＬ方式に変更する。ステップＳ４４またはＳ４５の処理が終了すると、ステップＳ４２に戻る。
【００２８】
以上に説明した図５〜８の処理をまとめると、再生モードが選択された場合には、ＡＦモータの駆動を禁止するとともにファインダ表示部を消灯し、消費電力の低減を図る。また、レリーズボタンを全押しできないようにして、再生中にはメモリカード１３に記録できないようにする。そして、表示装置１５に再生待機中であることを示す表示を行う。再生待機中であることを示す表示を開始してから１６秒を経過してもコマンドダイアルが操作されない場合には、カメラ各部への電源電圧の供給を停止して消費電力の低減を図る。一方、１６秒以内にコマンドダイアルが操作された場合には、外部のモニタに映像信号を出力するとともに、表示装置１５に再生中であることを示す表示を行う。ある駒の再生を開始してから３分以内にコマンドダイアルが操作されると、次駒の再生を行う。一方、３分を経過してもコマンドダイアルが操作されない場合には、再生待機中を示す表示に戻す。
【００２９】
また、再生中または再生待機中に感度切換スイッチ２１とコマンドダイアルが同時に操作されると、コマンドダイアルの回転量および回転方向に応じて再生する駒を決定し、決定した駒番号を表示装置１５に表示する。さらに、コマンドダイアル操作時に露出補正切換スイッチ２３と測光モード切換スイッチ２２とが同時に操作されると、映像信号の信号方式を切り換える。
【００３０】
このように、図５〜８の処理によれば、本来は撮影に関する情報を設定するために設けられているコマンドダイアルや感度切換スイッチ２１を用いて、再生時の各種設定を行うため、新たに操作部材を追加せずに済み、従来のカメラのカメラボディをそのまま流用できる。また、ある駒を再生してから３分間以内にコマンドダイアルが操作されない場合には自動的に再生待機状態にし、再生待機状態になってから１６秒以内にコマンドダイアルが操作されない場合には自動的に電源をオフするため、消費電力を無駄に消費しなくなる。さらに、再生モードが選択された場合には、再生中あるいは再生予定の駒番号とメモリカード１３に記録されている総駒数を常に表示装置１５に表示するため、現在何駒目を再生しているのかを把握できるとともに、メモリカード１３にこの後記録できる枚数も知ることができ、メモリカード１３を有効に利用できる。また、カメラに接続されるモニタの種類に応じてカメラから出力する映像信号の信号方式を変更できるようにしたため、異なる種類のモニタでも問題なくカメラに接続できる。
【００３１】
図９，１０は、撮影駒データを再生している最中に、撮影モード切換スイッチ２５の操作と同時にコマンドダイアルが回転操作された場合に制御回路１４が行う撮影関連情報切換処理を示すフローチャートである。また、図１１はモニタに表示される撮影関連情報の変化を示す図である。撮影駒データの再生を開始した時点では、図１１（ａ）のようにモニタには撮影関連情報は表示されず、その後に使用者が撮影モード切換スイッチ２５の操作と同時にコマンドダイアルを回転操作すると、制御回路１４は図９の処理を開始する。
【００３２】
図９のステップＳ５１では、コマンドダイアルが順方向（例えば時計回り）に回転操作されたか否かを判定する。順方向に回転操作されるとステップＳ５２に進み、図１１（ｂ）のようにモニタに再生駒番号を表示する。ステップＳ５３では、再び撮影モード切換スイッチ２５の操作と同時にコマンドダイアルが回転操作されたか否かを判定する。判定が肯定された場合にはステップＳ５４に進み、コマンドダイアルが順方向に回転操作されたか否かを判定する。逆方向に回転操作された場合にはステップＳ５５に進み、モニタに表示中の再生駒番号を消去してステップＳ５１に戻る。
【００３３】
一方、ステップＳ５４でコマンドダイアルが順方向に操作されたと判定されるとステップＳ５６に進み、現在選択されている映像信号の信号方式がＮＴＳＣ方式か否かを判定する。ＮＴＳＣ方式の場合はステップＳ５７に進み、日付情報の表示形態を月、日、年の順とする。また、ステップＳ５６でＮＴＳＣ方式でないと判定されるとステップＳ５８に進み、日付情報の表示形態を日、月、年の順とする。
【００３４】
ステップＳ５７またはＳ５８の処理が終了するとステップＳ５９に進み、図１１（ｃ）のように再生駒番号に加えて日付情報と時刻情報を表示する。ステップＳ６０では、再び撮影モード切換スイッチ２５の操作と同時にコマンドダイアルが回転操作されたか否かを判定する。判定が否定された場合にはステップＳ６０に留まり、判定が肯定された場合にはステップＳ６１に進み、コマンドダイアルが順方向に回転操作されたか否かを判定する。逆方向に回転操作された場合はステップＳ６２に進み、今まで表示していた日付情報および時刻情報を消去してステップＳ５３に戻る。ステップＳ６１で順方向に回転操作されたと判定されると図１０のステップＳ６３に進み、図１１（ｄ）のように再生駒番号、日付情報および時刻情報に加えてファイル名を表示する。
【００３５】
次にステップＳ６４では、再び撮影モード切換スイッチ２５の操作と同時にコマンドダイアルが回転操作されたか否かを判定する。判定が否定された場合にはステップＳ６４に留まり、判定が肯定された場合にはステップＳ６５に進む。ステップＳ６５では、コマンドダイアルが順方向に回転操作されたか否かを判定する。逆方向に回転操作された場合はステップＳ６６に進み、今まで表示していたファイル名を消去してステップＳ６０に戻る。一方、ステップＳ６５で順方向に回転操作されたと判定されるとステップＳ６７に進み、今まで表示していたすべての撮影関連情報を消去してステップＳ６８に進む。
【００３６】
ステップＳ６８では、再び撮影モード切換スイッチ２５の操作と同時にコマンドダイアルが回転操作されたか否かを判定する。判定が否定された場合にはステップＳ６０に留まり、判定が肯定された場合にはステップＳ５１に戻る。
【００３７】
一方、図９のステップＳ５１でコマンドダイアルが逆方向に操作されたと判定されると図１０のステップＳ６９に進み、以後ステップＳ６９〜Ｓ７４では、図１１（ｄ）のようにすべての撮影関連情報を表示する処理を行う。まず、ステップＳ６９では、再生駒番号を表示する。ステップＳ７０では、モニタに出力する信号方式がＮＴＳＣ方式か否かを判定する。ＮＴＳＣ方式の場合はステップＳ７１に進み、日付情報の表示形態を月、日、年の順とする。また、ステップＳ７１でＮＴＳＣ方式でないと判定されるとステップＳ７２に進み、日付情報の表示形態を日、月、年の順とする。ステップＳ７１またはＳ７２の処理が終了するとステップＳ７３に進み、再生駒番号に加えて日付情報と時刻情報を表示する。次に、ステップＳ７４では、再生駒のファイル名も併せて表示した後にステップＳ６４に進む。
【００３８】
このように、使用者が撮影駒データの再生中に撮影モード切換スイッチ２５を操作しながらコマンドダイアルを回転操作すると、その回転量および回転方向に応じてモニタに表示される撮影関連情報を変化させる。本実施の形態では、撮影関連情報として、再生駒番号、再生駒の撮影日付・時刻情報、および再生駒のファイル名を設けており、撮影モード切換スイッチ２５の操作と同時にコマンドダイアルが順方向（時計回り）に回転操作されると、図１１（ａ）→図１１（ｂ）→図１１（ｃ）→図１１（ｄ）→図１１（ａ）→…の順に撮影関連情報を切り換える。逆に、撮影モード切換スイッチ２５の操作と同時にコマンドダイアルが逆方向（反時計回り）に回転操作されると、図１１（ａ）→図１１（ｄ）→図１１（ｃ）→図１１（ｂ）→図１１（ａ）…の順に撮影関連情報を切り換える。
【００３９】
このように、本実施の形態では、本来は撮影モードを設定するのに用いる撮影モード切換スイッチ２５とコマンドダイアルの操作を連係させることで、再生画面に表示する撮影関連情報を変更できるようにしており、キーを新たに追加することなく所望の撮影関連情報のみをモニタに表示でき、撮影駒データの検索等を行いやすくなる。また、本実施の形態では、カメラから出力する映像信号の信号方式に応じて日付情報の表示形態を切り換えている。すなわち、ＮＴＳＣ方式で映像信号を出力する場合には、図１２（ａ）のように月、日、年の順で表示し、ＰＡＬ方式で映像信号を出力する場合には、図１２（ｂ）のように日、月、年の順で映像信号を出力する。このように表示順序を切り換えるのは、それぞれの信号方式を採用する米国と欧州の日付順序の慣習に合わせるためである。
【００４０】
図１１（ｄ）において、画面の左上隅に表示されるファイル名は各駒に固有のものであり、パソコン用のＯＳの一種であるＭＳ−ＤＯＳのファイル形式に沿った名称を自動的に付加する。具体的には、いずれのファイル名も７桁で構成され、ファイル名の下位側（右側）４桁にはメモリカード１３に記録した順番を示す数字が付けられる。例えば、図１１（ｄ）に表示されているファイル名DSC0005は、メモリカード１３に最初に撮影駒データを記録してから５番目に記録した駒データであることを示す。
【００４１】
ここで、メモリカード１３には、各駒の撮影駒データを格納する領域Ｐと、各駒のファイル名や日付等の撮影関連情報（以下、管理情報と呼ぶ）を格納する領域Ｑとが設けられており、新たな駒を撮影するたびに領域Ｐ，Ｑの双方にデータが記録される。メモリカード１３に記録された管理情報は、カードリーダを介してパソコンに取り込むことができ、取り込んだ管理情報はパソコンに接続されたモニタ画面に表示することができる。そして、パソコンの操作により、メモリカード１３に格納されているファイル名の一覧を表示し、一覧表示した中からファイル名の一部または全部を選択し、選択したファイルをメモリカード１３から消去することができる。
【００４２】
なお、メモリカード１３に記録されている一部のファイルを消去した場合、消去した領域に新たな撮影駒データを記録することも可能だが、その際には、消去したファイル名とは異なる名称が付けられる。例えば、図１３（ａ）はメモリカード１３にDSC0001〜DSC0005までの５つのファイルを記録し、その後にDSC0003を消去してその領域に新たな撮影駒データを記録する例を示す。この場合、新たな駒に対応するファイル名は、その直前に記録したファイル名DSC0005の次のファイル名であるDSC0006となる。このように、各ファイル名の下位４桁はメモリカード１３に記録を開始してから何番目に記録したかを示す識別子であり、この識別子によりメモリカード１３で記録および消去を何回繰り返したかの履歴を知ることができる。
【００４３】
一方、図１１（ｄ）において、画面の右上隅に表示される再生駒番号はメモリカード１３の中での再生順番を示しており、図１３のDSC0006を再生するときは、「５」と表示される。これは、再生の順番は、メモリカード１３に記録された順番、つまり各ファイル名の下位４桁の若い番号順に再生されるためである。図１３（ｂ）はファイル名と再生駒番号の対応を示している。
【００４４】
ところが、メモリカード１３の消去・再記録を繰り返すと、再生される順番とメモリカード１３に記録した順番が次第に食い違ってくる。このため、例えば再生駒番号だけを表示すると、その番号をメモリカード１３に記録した順番と間違えるおそれがある。そこで、本実施の形態では、画面の右上隅の表示によって再生駒番号を確認できるようにし、画面の左上隅に表示されるファイル名によってメモリカード１３に記録した順番を確認できるようにしている。また、ファイル名を表示することで、パソコン上からファイル名を指定して消去できるようにしている。
【００４５】
一方、本実施の形態では、撮影駒データを再生している最中に測光モード切換スイッチ２２と露出補正切換スイッチ２３が同時に操作されると、その間に限って表示装置１５に映像信号の信号方式を示す情報を表示するようにしている。図１４は測光モード切換スイッチ２２と露出補正切換スイッチ２３が同時に操作されている間に表示装置１５に表示される画面表示例を示す図であり、図１４（ａ）はＮＴＳＣ方式の映像信号を出力する例、図１４（ｂ）はＰＡＬ方式の映像信号を出力する例を示す。
【００４６】
このように、映像信号の現在の信号方式を表示装置１５に表示できるようにしたため、その信号方式がモニタの信号方式と一致するか否かを事前に確認できる。
【００４７】
上記実施の形態では、記録媒体としてメモリカード１３を用いる例を説明したが、フロッピディスクや光ディスク等のメモリカード１３以外の記録媒体を用いてもよい。また、上記実施の形態では、ＮＴＳＣ方式とＰＡＬ方式を切り換える例を説明したが、他の信号方式に切り換えてもよい。
【００４８】
上記実施の形態では、コマンドダイアルや感度切換スイッチ２１等を用いて再生時の各種機能を切り換えているが、各種機能を切り換えるためのスイッチは上記実施の形態で説明したものに限定されない。すなわち、撮影に関する情報を設定するために予めカメラに設けられているスイッチであれば、どのスイッチを用いてもよい。上記実施の形態では、カメラ上面に予め設けられている表示装置１５に再生モードに関する表示を行っているが、上面以外、例えばカメラの背面等の表示装置に再生モードに関する表示を行ってもよい。また、上記実施の形態では、各種の再生機能を選択する際に、複数の操作部材が同時に操作されたか否かを選択条件としているが、必ずしも同時でなくてもよく、複数の操作部材が所定時間内に操作された場合など、複数の操作部材が何らかの形で連係して操作されたことを再生機能を選択する条件としてもよい。
【００４９】
このように構成した一実施の形態にあっては、コマンドダイアルおよびパルス発生器２０が第１の操作部材に、ＣＣＤ９が撮像手段に、メモリカード１３が記録媒体に、信号処理回路１１および圧縮回路１２が記録手段に、映像信号変換回路２４が映像信号変換手段に、撮影／再生選択スイッチ１９が選択手段に、制御回路１４が制御手段に、感度切換スイッチ２１が第２の操作部材に、撮影モード切換スイッチ２５が第３の操作部材に、測光モード切換スイッチ２２が第４の操作部材に、露出補正切換スイッチ２３が第５の操作部材に、図９のステップＳ５６〜Ｓ５８またはＳ７０〜Ｓ７２が撮影関連情報変更手段に、図３（ａ），（ｂ）の表示領域Ｃの表示変化が第１の指標に、図３（ａ）〜（ｄ）の表示領域Ｃの表示変化が第２の指標に、それぞれ対応する。
【００５０】
なお、以上の説明はあくまで一例であり、発明を解釈する上で、上記の実施形態の構成要素と本発明の構成要素との対応関係に何ら限定されるものではない。
【図面の簡単な説明】
【００５１】
【図１】本発明による電子スチルカメラの一実施の形態のブロック図。
【図２】表示装置に表示される表示内容を示す図。
【図３】再生待機中の表示領域Ｃの表示変化を示す図。
【図４】再生中の表示領域Ｃの表示変化を示す図。
【図５】制御回路の処理動作を示すフローチャート。
【図６】図５に続くフローチャート。
【図７】図６に続くフローチャート。
【図８】図７に続くフローチャート。
【図９】制御回路が再生中に行う撮影関連情報切換処理を示すフローチャート。
【図１０】図９に続くフローチャート。
【図１１】モニタに表示される撮影関連情報の表示変化を示す図。
【図１２】ＮＴＳＣ方式とＰＡＬ方式のそれぞれについて、日付の表示形態が異なることを示す図。
【図１３】メモリカードに格納される撮影駒データのファイル名の付け方を説明する図。
【図１４】再生モード時に測光モードスイッチと露出補正切換スイッチとを同時に操作した場合の表示装置の表示例を示す図。
【符号の説明】
【００５２】
１…撮影レンズ
２…絞り
３…クイックリターンミラー
４…多分割ＳＰＤ
５…シャッタ
６…測光アンプ
７…絞り駆動回路
８…シャッタ駆動回路
９…ＣＣＤ
１０…ＣＣＤ駆動回路
１１…信号処理回路
１２…圧縮回路
１３…メモリカード
１４…制御回路
１５…表示装置
１６…電源スイッチ
１７…半押しスイッチ
１８…全押しスイッチ
１９…撮影／再生選択スイッチ
２０…パルス発生器
２１…感度切換スイッチ
２２…測光モード切換スイッチ
２３…露出補正切換スイッチ
２４…映像信号変換回路
２５…撮影モード切換スイッチ
【図１】
0004384094.tif 000002
【図２】
0004384094.tif 000003
【図３】
0004384094.tif 000004
【図４】
0004384094.tif 000005
【図５】
0004384094.tif 000006
【図６】
0004384094.tif 000007
【図７】
0004384094.tif 000008
【図８】
0004384094.tif 000009
【図９】
0004384094.tif 000010
【図１０】
0004384094.tif 000011
【図１１】
0004384094.tif 000012
【図１２】
0004384094.tif 000013
【図１３】
0004384094.tif 000014
【図１４】
0004384094.tif 000015